【手続補正書】
【提出日】平成22年1月5日(2010.1.5)
【手続補正１】
【補正対象書類名】明細書
【補正対象項目名】００１４
【補正方法】変更
【補正の内容】
【００１４】
すなわち、本発明による地上デジタル放送の再送信装置は、複数のセグメントにより構成される地上デジタル放送を複数波受信し、これらの地上デジタル放送波から一つのセグメントをそれぞれ抜き出し、この抜き出したセグメントを連結して地上デジタル放送波として再送信する地上デジタル放送の再送信装置において、複数のチューナー部、前記チューナー部にそれぞれ対応した複数のデジタル処理部、加算部、及び再送信部を備え、前記チューナー部は、前記受信した地上デジタル放送の複数波のうちの一つの放送波を選択し、この放送波のＲＦ帯の信号をＩＦ帯の信号に変換する受信変換手段と、前記受信変換手段により変換されたＩＦ信号をデジタルＩＦ信号に変換するＡＤ変換手段と、前記ＡＤ変換手段により変換されたデジタルＩＦ信号に直交復調を施し、等価ベースバンド信号を出力する直交復調手段とを有し、前記デジタル処理部は、前記チューナー部の直交復調手段により出力された等価ベースバンド信号から一つのセグメントを抜き出すフィルタ手段と、前記フィルタ手段により抜き出された一つのセグメントの等価ベースバンド信号を、複数のセグメントを連結するための位置に周波数変換するセグメント配置手段とを有し、前記加算部は、前記複数のデジタル処理部のセグメント配置手段により周波数変換されたそれぞれの１つのセグメントの等価ベースバンド信号を加算合成する手段を有し、前記再送信部は、前記加算部により加算合成された等価ベースバンド信号に直交変調を施し、デジタルＩＦ信号を出力する直交変調手段と、前記直交変調手段により出力されたデジタルＩＦ信号をアナログＩＦ信号に変換するＤＡ変換手段と、前記ＤＡ変換手段により変換されたアナログＩＦ信号を、地上デジタル放送波として再送信するためのＲＦ帯の信号に変換し、該変換した信号を増幅する送信変換手段とを有する、地上デジタル放送の再送信装置において、
さらに、前記複数のデジタル処理部における等価ベースバンド信号に対し、タイミングを合わせるための遅延時間を調整する遅延時間調整部を備え、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号について、シンボル同期のためのシンボルタイミング及び周波数誤差量を検出するシンボル同期検出手段と、
前記フィルタ手段により抜き出された一つのセグメントの等価ベースバンド信号と、前記シンボル同期検出手段により検出された周波数誤差量とを用いて周波数誤差を補正する周波数誤差補正手段と、
前記周波数誤差補正手段により補正された１セグメントの等価ベースバンド信号と、前記遅延時間調整部により調整された遅延時間とを用いて、前記１セグメントの等価ベースバンド信号を前記遅延時間だけ遅延させる遅延部と、
前記遅延部により遅延した１セグメントの等価ベースバンド信号を、複数のセグメントを連結するように所定の帯域幅内に周波数変換するセグメント配置手段とを有し、
前記遅延時間調整部は、
前記複数のデジタル処理部のシンボル同期検出手段によりそれぞれ検出されたシンボルタイミングを用いて、前記デジタル処理部におけるそれぞれの等価ベースバンド信号のタイミングに合わせるように、それぞれの遅延時間を算出する手段を有する。
上記とは別に、当該地上デジタル放送の再送信装置において、
さらに、前記複数のデジタル処理部におけるそれぞれの等価ベースバンド信号に対し、タイミングを合わせるための遅延時間を調整する遅延時間調整部を備え、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号について、シンボル同期のためのシンボルタイミング及び周波数誤差量を検出するシンボル同期検出手段と、
前記フィルタ手段により抜き出された一つのセグメントの等価ベースバンド信号と、前記シンボル同期検出手段により検出された周波数誤差量とを用いて周波数誤差を補正する周波数誤差補正手段と、
前記周波数誤差補正手段により補正された一つのセグメントの等価ベースバンド信号について、時間領域の信号から周波数領域の信号に変換するＦＦＴ手段と、
前記ＦＦＴ手段により変換された周波数領域の信号について、ＳＰパターンを検出するＳＰパターン検出手段と、
前記周波数誤差補正手段により補正された１セグメントの等価ベースバンド信号と、前記遅延時間調整部により調整された遅延時間とを用いて、前記１セグメントの等価ベースバンド信号を前記遅延時間だけ遅延させる遅延部と、
前記遅延部により遅延した１セグメントの等価ベースバンド信号を、複数のセグメントを連結するように所定の帯域幅内に周波数変換するセグメント配置手段とを有し、
前記遅延時間調整部は、
前記複数のデジタル処理部のシンボル同期検出手段によりそれぞれ検出されたシンボルタイミングと、前記複数のデジタル処理部のＳＰパターン検出手段によりそれぞれ検出されたＳＰパターンとを用いて、前記デジタル処理部におけるそれぞれの等価ベースバンド信号のシンボルタイミング及びＳＰパターンを合わせるように、それぞれの遅延時間を算出する手段を有することを特徴とする。
上記とは別に、当該地上デジタル放送の再送信装置において、
さらに、前記複数のデジタル処理部におけるそれぞれの等価ベースバンド信号に対し、タイミングを合わせるための遅延時間を調整する遅延時間調整部を備え、
前記デジタル処理部は、
前記チューナー部の直交復調手段により出力された等価ベースバンド信号から一つのセグメントを抜き出すフィルタ手段と、
前記フィルタ手段により抜き出された一つのセグメントの等価ベースバンド信号について、シンボル同期のためのシンボルタイミング及び周波数誤差量を検出するシンボル同期検出手段と、
前記フィルタ手段により抜き出された一つのセグメントの等価ベースバンド信号と、前記シンボル同期検出手段により検出された周波数誤差量とを用いて周波数誤差を補正する周波数誤差補正手段と、
前記周波数誤差補正手段により補正された一つのセグメントの等価ベースバンド信号について、この時間領域の信号から周波数領域の信号に変換するＦＦＴ手段と、
前記ＦＦＴ手段により変換された周波数領域の信号についてのＴＭＣＣ信号を用いて、フレーム同期のためのフレームタイミングを検出するフレーム同期検出手段と、
前記周波数誤差補正手段により補正された１セグメントの等価ベースバンド信号と、前記遅延時間調整部により調整された遅延時間とを用いて、前記１セグメントの等価ベースバンド信号を前記遅延時間だけ遅延させる遅延部と、
前記遅延部により遅延した１セグメントの等価ベースバンド信号を、複数のセグメントを連結するように所定の帯域幅内に周波数変換するセグメント配置手段とを有し、
前記遅延時間調整部は、
前記複数のデジタル処理部のシンボル同期検出手段によりそれぞれ検出されたシンボルタイミングと、前記複数のデジタル処理部のフレーム同期検出手段によりそれぞれ検出されたフレームタイミングとを用いて、前記デジタル処理部におけるそれぞれの等価ベースバンド信号のフレームタイミングを合わせるように、それぞれの遅延時間を算出する手段を有することを特徴とする。
【手続補正２】
【補正対象書類名】明細書
【補正対象項目名】００１５
【補正方法】変更
【補正の内容】
【００１５】
以上のように、本発明によれば、地上デジタル放送の再送信装置において、無駄な周波数割り当てをすることなく、遅延時間が短くかつ小型化を実現可能な再送信装置を実現することができる。